(57)【特許請求の範囲】
【請求項１】
実弾射撃訓練の標的の後方に配置され、前記標的を通過した弾丸を受け止めるバックストップであって、
粒状停弾部材を収容する外覆体と、
該外覆体の中に収容された、前記粒状停弾部材としての多数のゴルフボール状球体と、を備え、
前記外覆体が、
前記標的側の面である前面又は該前面に対向する面である後面に広がる、ゴム材又は合成樹脂材からなる面状部材と、
該面状部材の周囲を囲う、タイヤからなる外枠部材と、
を有することを特徴とするバックストップ。
【請求項２】
前記粒状停弾部材が、使用済み、不良品、又は、新品のＢ級品のゴルフボールであることを特徴とする請求項１記載のバックストップ。
【請求項３】
前記前面の面状部材と前記後面の面状部材とが同じ構造及び材料製であることを特徴とする請求項１又は２に記載のバックトップ。
【請求項４】
前記外覆体の底に、前記バックストップ内に停留し底に溜まった弾丸を取り出す取出口が設けられていることを特徴とする請求項１〜３のいずれか１項に記載のバックストップ。  
【発明の詳細な説明】
【技術分野】
【０００１】
本発明は、実弾射撃訓練場において、標的の後方に配置されて弾丸を停止・回収するバックストップに関する。特には、弾丸を破砕することなく容易に回収することができるとともに、経済性の点で大いに改善されたバックストップに関する。
【背景技術】
【０００２】
現在使用されているバックストップは、銃弾の運動エネルギーを吸収させる物質として、積層したゴム板を使用したもの（特許文献１参照）や、粒状部材を充填したもの（特許文献２参照）などが提案されている。前者の積層したゴム板を使用したものは、合成樹脂材又はゴム材からなる板材を複数枚重ねて垂直に支持したもので、標的を貫通した弾丸は、数枚の板材を貫通した後、床面に落下する。また、前面側の板材の弾丸が集中して入射される部分を交換可能としている。後者の粒状部材を使用したものは、下部の傾斜部と上部の垂直部とを有する中空の支持部内に、粒状部材（チップ）を充填したもので、上方の粒状部材が下方へ移動することを抑止する移動抑止手段を有する。これにより、弾丸が集中する領域のみで弾丸を分別回収できる。
【０００３】
しかしながら、これらの方式には以下のような問題点がある。前者の積層ゴム板方式では、ゴム製の板材が消耗品となるためコスト高となる。さらには、弾丸が板材内に一部残留するので、弾丸の分離回収に手間がかかるとともに、板材の廃棄時に弾丸を抜き取る作業が必要になる。後者の粒状部材充填方式では、弾丸の分離回収にかなりの手間がかかる。さらに、粒状部材は長期間繰り返し使用され、弾丸がこの粒状部材の中を回転しながら進むために、弾丸の表面の鉛が摩擦により粒状部材に多量に付着して蓄積される。このため、弾丸回収時に、この付着した鉛を射撃場内に拡散させるおそれがある。
【先行技術文献】
【特許文献】
【０００４】
【特許文献１】実用新案登録第３１３５９６４号
【特許文献２】特開２００５−１８８８９４号
【発明の開示】
【発明が解決しようとする課題】
【０００５】
本発明は上記の問題点に鑑みてなされたものであって、弾丸に破砕を起こさずに、容易に回収することができるとともに、安価なバックストップを提供することを目的とする。
【課題を解決するための手段】
【０００６】
本発明のベースとなるバックストップは、  実弾射撃訓練の標的の後方に配置され、前記標的を通過した弾丸を受け止めるバックストップであって、  粒状停弾部材を収容する外覆体と、  該外覆体の中に収容された、前記粒状停弾部材としての多数のゴルフボール状球体と、を備えることを特徴とする。
【０００７】
本発明によれば、外覆体を通過した弾丸は、多数のゴルフボール状球体に何回も当たり、その間に保有している運動エネルギーを失って停止する。停止した弾丸は、ゴルフボール状球体の間の空間にあって、次第に自重で下方に落下する。外覆体の底に取出口を設けておけば、弾丸を取り出して回収することができる。
【０００８】
外覆体は、多数のゴルフボール状球体を収容する容器である。外覆体の材質は、弾丸を標的側に反射しにくいもの（跳弾しにくいもの）であり、当たった弾丸が通過した後、弾丸貫通孔が閉塞され、その後も強度を維持するようなものが好ましい。例えば、天然ゴム、クロロプレン等の合成ゴム、圧縮ゴム、合成樹脂材等を使用できる。外覆体の形状・寸法は、標的の後方をカバーできるものであればどのような形であってもよい。円盤形・円筒形・四角い箱状などであってよい。
【０００９】
なお、外覆体の内部の上部には、ゴルフボール状球体の存在しない空間を設けておき、ゴルフボール状球体がある程度自由に動けるようにしておくことが好ましい。このような空間を設けることにより、弾丸入射時における衝撃・振動に伴うゴルフボールの動きを促進することもできる。また、定期的に外覆体を揺らすなどして内部のゴルフボール状球体を混ぜ返し、ゴルフボール状球体の位置の偏りをなくすと、着弾しやすい位置に同じゴルフボール状球体が滞留することがなく、ゴルフボール状球体の全体の寿命を長くすることができる。あるいは、外覆体に意図的に振動・揺動・回転等を加える機構を設けることもできる。
【００１０】
ゴルフボール状球体とは、以下に述べるような、ゴルフボールと同等あるいはそれに近い強度・弾性・硬度・表面摩擦係数・経済性などを有する球体のことをいう。球体といっても、幾何学上の完全な球を意味するものではなく、多数積み重ねたときに、ある程度の流動性を有するものであればよい。
【００１１】
ゴルフボールは、球体のコアの周囲に複数のゴム層を積層したものであり、高い強度・弾性・硬度・耐久性を有している。したがって、このような性質の球体に当たった弾丸は、ほとんど破砕や損傷することなく弾き返される。あるいは、球体に弾丸がめり込んでも、ボール外に弾き出されるので、球体内に弾丸の全体や一部が残留することがほとんどない。したがって、有害な鉛の標的付近への拡散を防止できる。さらに、ゴルフボールは表面に多数のディンプル（くぼみ）があり、流動性を有するとともに、ボール同士が固着したりすることがない。球体はこのような性質を備えているので、弾丸は球体間を落下しやすく、表面を弾丸が滑りやすい。
【００１２】
多数のゴルフボール状球体の層厚（弾丸通過方向）は、警察官携帯のピストルの射撃訓練用の場合、２００ｍｍ以上が好ましい。
【００１３】
また、外覆体の上部などにゴルフボール状球体の出入口を設けておくと、外覆体の内部の点検や、ゴルフボール状球体の補充や交換を容易に行うことができる。
【００１４】
バックストップは、上部から吊り下げたり、架台上に設置するなど適宜な方法で支持することができる。また、バックストップの前などに、跳弾防止用のゴム板をさらに設けることもできる。
【００１５】
本発明においては、  前記粒状停弾部材が、使用済み、不良品、又は、新品（Ｂ級品）のゴルフボールであることが好ましい。
このようなゴルフボールは、無料、あるいは、低価格で入手できるので、製造にかかるコストを低減できる。
【００１６】
本発明においては、  前記外覆体が、  前記標的側の面（前面）又は該前面に対向する面（後面）に広がる、ゴム材又は合成樹脂材からなる面状部材と、  該面状部材の周囲を囲う、タイヤからなる外枠部材と、を有することが好ましい。
【００１７】
タイヤは、一般的な標的の寸法を考慮した場合、標的の寸法よりも一回り大きいくらいの適度な寸法を有し、十分な強度と前述の性質（当たった弾丸が通過するが、その後も強度を維持する）を有する。タイヤとして廃タイヤを利用した場合、安価に入手できるので、バックストップ全体の製造にかかるコストを低減できる。
【００１８】
面状部材は、弾丸通過方向に対して垂直、あるいはやや上側に傾けて配置してもよい。
【００１９】
本発明においては、  前記前面の面状部材と前記後面の面状部材とが同じ構造及び材料製とすれば、前面側の面状部材がある程度損耗したら裏返し、裏面側の面状部材を標的側に向けて再度使用できる。これにより、バックストップの耐久性を延ばすことができる。
【００２０】
本発明においては、  前記外覆体の底に、前記バックストップ内に停留し底に溜まった弾丸を取り出す取出口が設けられていることが好ましい。
【００２１】
取出口に、ゴルフボール状球状体の径よりも小さく、弾丸の径あるいは長さよりも大きい寸法の格子を設けておけば、ゴルフボール状球体は格子に係止されるが、弾丸は格子を通過して落下するので、弾丸を回収しやすくなる。
弾丸が内部に多量に残っていた場合、後から発射された弾丸が残っていた弾丸に当たって破砕するようなこともあるが、この態様によれば、内部の弾丸をできるだけ速やかに回収することができる。
【発明の効果】
【００２２】
以上の説明から明らかなように、本発明によれば、外覆体を通過した弾丸が、多数のゴルフボール状球体に何回も当たり、その間に保有している運動エネルギーを失って停止する。停止した弾丸は、ゴルフボール状球体の間の空間に滞留し、次第に自重で下方に落下するので、内部の弾丸を分別回収することができる。また、外覆体として廃タイヤを利用したり、ゴルフボール状球体として使用済みや不良品のゴルフボールを利用したりすれば、材料費が安価になるとともに、廃棄物を有効利用できる。
【図面の簡単な説明】
【００２３】
【図１】本発明の実施の形態に係るバックストップの構造を説明する図であり、図１（Ａ）は平面図、図１（Ｂ）は正面図、図１（Ｃ）は側面図（一部断面図）である。
【図２】図１のバックストップの弾丸取出口を説明する図であり、図２（Ａ）はバックストップの下部の正面断面図、図２（Ｂ）はバックストップの底面図である。
【図３】図１のバックストップを備えた射撃訓練場を説明する図である。
【発明を実施するための形態】
【００２４】
以下、本発明の実施の形態について、図面を参照しながら詳細に説明する。
図１を参照して、本発明の実施の形態に係るバックストップを説明する。
本発明のバックストップ１は、外覆体１０と、外覆体１０に収容される粒状停弾部材としての多数のゴルフボール状球体３０と、を有する。
【００２５】
外覆体１０は、ある程度の厚さ（奥行き）を有する、中空の円盤状の部材である。その材質としては、弾丸を標的側に反射しにくく、かつ、弾丸が通過した後の貫通穴が閉塞され、通過後も強度を維持するようなものであることが好ましく、例えば、天然ゴム、クロロプレン等の合成ゴム、圧縮ゴム、合成樹脂材等を使用できる。この例では、外覆体１０は、外枠部材１１と、外枠部材１１の前後面の開口を覆う、前後の面状部材１３とからなる。
【００２６】
外枠部材１１としては、一般的な自動車の廃タイヤを利用できる。一例として、廃タイヤの外径は８２０ｍｍ、開口１１ａ（図１（Ｂ）、（Ｃ）参照）の径が４７０ｍｍ、幅（厚さ）は２４５ｍｍである。なお、タイヤの外表面は廃タイヤそのままのものである。開口１１ａは、タイヤホイールとの接続部（ホイールリム）の内周そのものである。なお、タイヤ内のスチールコードなどの補強材はそのまま残してある。
【００２７】
面状部材１３は、外枠部材１１の外径よりも一回り小さい表側部材１４と、外枠部材１１の開口１１ａの径とほぼ等しい裏側部材１５とからなる。両部材１４、１５は、前述のとおり、天然ゴムや合成ゴム、合成樹脂で作製される。一例として、表側部材１４の外径は７１０ｍｍ、厚さは１５ｍｍ、裏側部材１５の外径は４７０ｍｍ、厚さは１５ｍｍである。裏側部材１５は表側部材１４と同心上に重ねられて接着剤等により接着される。面状部材１３は、裏側部材１５を外枠部材１１の開口１１ａに嵌め込むように取り付けて、表側部材１４の周囲を外枠部材１１の開口１１ａの周囲にビスで固定される。
【００２８】
外枠部材１１の外周面の一部（一般的に上部）には、点検用の開口１７が開けられている。この開口１７は、平面視長方形で、外枠部材１１の外周面に開口する形態であり、平ゴムの蓋１８で開閉可能に閉じられる。さらに、外周面の底部には、図２に示すように、弾丸取出用の開口２１（取出口）が開けられている。この取出口２１も、平面視長方形で、外枠部材１１の外周面に開口する形態であり、外枠部材１１の内側から格子２２が貼られている。格子２２の網目は、後述するゴルフボール状球状体３０の径よりも小さく、弾丸の径・長さよりも大きくなっている。これにより、ゴルフボール状球体３０は格子２２に係止されるが、弾丸は格子２２を通過して落下する。一例として、網目の間隔は３０×３０ｍｍである。点検用の開口１７と取出口２１とは、外枠部材１１のほぼ対角上に形成されていることが好ましい。
【００２９】
ゴルフボール状球体３０とは、ゴルフボールと同等あるいはそれに近い強度・弾性・硬度・表面摩擦係数・経済性などを有する球体であり、使用済みあるいは不良品のゴルフボールを利用できる。一般的なゴルフボールの外径は４２ｍｍ、重量は４５．５ｇである。一般にゴルフボールは、高弾性・高反発力・高強度を有する材料で製造されており、高い耐久性を有する。したがって、弾丸を弾き返すことができ、弾丸がのめり込んだ場合でも、高弾性のため外に弾き出されるので、弾丸の破損や変形が起こりにくく、ボール内に弾丸の全体あるいは一部が残留することがない。さらに、表面に複数のディンプル（くぼみ）が形成されているため、流動性を有するとともに、ボール同士が固着することもない。従来例で説明した、粒状部材としてゴムチップを使用した場合、環境によってはゴムチップ同士が互いに固着して流動性が悪くなり、弾丸がチップ間を通って落下しにくくなる場合もある。ゴルフボールの場合は、流動性が良く、互いに固着することもないため、弾丸がボール間を通って落下しやすい。
【００３０】
複数のゴルフボール状球体３０は、外覆体１０内に、上部（面状部材の上方の部分）にやや空間Ｓを残して充填されている。充填する際は、例えば、外枠部材１１の外周面に形成された点検口１７から充填することができる。前述の寸法の外覆体１０を使用した場合、約１２００個のゴルフボールが収容される。
【００３１】
このバックストップ１の停弾作用を説明する。
バックストップ１は、外覆体１０の外周面に設けた取出口２１が下となるように設置される。弾丸は、外覆体１０の面状部材１３に当たると、同部材１３を通過し、外覆体１１の内部に侵入する。面状部材１３の弾丸貫通孔は、同部材の弾性により弾丸通過後にほとんど塞がれ、弾丸通過後も面状部材１３の強度は維持される。
【００３２】
面状部材１３を通過してある程度の運動エネルギーが減衰した弾丸は、複数のゴルフボール状球体３０に何回も当たり、その間に保有している運動エネルギーを失い、停止する。前述のように、ゴルフボール状球体３０は、ゴルフボールの高弾性の性質により、当たった弾丸を弾き返すので、弾丸に破砕を起こしにくい。また、弾丸がのめりこんでもすぐに弾き出されるので、弾丸の全体や破片がボール内に残留することもあまりない。さらに、ゴルフボール状球体３０自体も弾丸による破壊や損傷を受けにくい。なお、ゴルフボール状球体３０は、外覆体１０内に空間を残して収容されているので、外覆体１０を揺らしてゴルフボール状球体３０を混ぜ返すと、ゴルフボール状球体３０の位置の偏りがなくなり、着弾しやすい位置に同じゴルフボール状球体３０が滞留することがない。これにより、ゴルフボール状球体３０の全体の寿命を長くすることができる。
【００３３】
外覆体１０内で停止した弾丸は、複数のゴルフボール状球体３０の間の空間に滞留し、次第に自重で下方に落下する。この際、ゴルフボール状球体３０間に固着が起こり難く、さらに、同球体３０の表面は比較的滑らかであるので、弾丸は大きな抵抗を受けることなく落下する。また、前述のようにゴルフボール状球体３０は比較的自由に動くので、バックストップ１を振動させることで、弾丸の落下を促すことができる。弾丸は外覆体１０の底の取出口２１の格子２２を通って床面に落下した後、回収される。弾丸が内部に多量に、あるいは部分的に集中して残っていた場合、後から発射された弾丸が残っていた弾丸に当たって破砕するようなこともあるが、本発明によれば、内部の弾丸をできるだけ速やかに落下させ回収することができ、上述の問題が改善できる。
【００３４】
また、標的側に向けた面状部材１３が損傷した場合、バックストップ１の前後を裏返せば、反対側の面状部材１３を標的に向けることができるので、耐久期間を延ばすことができる。
【００３５】
図３を参照して、バックストップを実弾射撃訓練場に設置した状態の一例を説明する。
このバックストップ１を実弾射撃訓練場に設置する場合、バックストップ１の前あるいは後にも跳弾防止用などのゴム板４０、５０を配置することが好ましい。前後のゴム板４０、５０はバックストップ１の外径よりも一回り大きい寸法とする。
【００３６】
バックストップ１は、標的Ｔの後方の壁面Ｗに沿って、上から吊り下げられて設置される。この例では、図１に示すように、外枠体１１の外周面に２本の懸架用ワイヤー２５を通し、外周面を通過したワイヤー２５の下端に係止部材２６を取り付けて、各ワイヤー２５の下端を外覆体１０に係止する。各ワイヤー２５の上端は、壁面Ｗから前方に突き出たブラケットＢに固定される。この方法では、面状部材１３は、弾丸通過方向に対して垂直に配置されるが、やや上側に傾けて配置してもよい。
【００３７】
前後のゴム板４０、５０も、同様にワイヤーによってブラケットＢから吊り下げることができる。
【符号の説明】
【００３８】
１  バックストップ
１０  外覆部材                    １１  外枠部材
１３  面状部材                    １４  表側部材
１５  裏側部材                    １７  開口
１８  蓋                          ２１  取出口
２２  格子                        ２５  ワイヤー
２６  係止部材
３０  ゴルフボール状球体
４０、５０  ゴム板
【図１】
0005469215.tif 000002
【図２】
0005469215.tif 000003
【図３】
0005469215.tif 000004